(57)【特許請求の範囲】
【請求項１】
送風手段および空気質変換手段を有し、室外側に配設される空気質変換装置と、この空気質変換装置に直列に接続され室外側に配設される送風装置と、前記送風装置を室内側と連通し、室内側への空気供給通路となる送風配管と、この送風配管の端末に接続される端末装置とを備え、前記送風装置の静圧を空気質変換装置より大きく構成した空気供給装置。
【請求項２】
室内側と連通する吸気配管を備え、前記吸気配管を、空気質変換装置の送風手段の吸気側、または送風装置の吸気側の、室内側からより離れた送風路に位置するいずれかに接続した請求項１記載の空気供給装置。
【請求項３】
端末装置に空気質を変換して供給する空気質変換装置の空気質変換手段を除湿器により構成した請求項１または２記載の空気供給装置。
【請求項４】
端末装置をヘアドライヤーにより構成した請求項３記載の空気供給装置。
【請求項５】
端末装置を押入乾燥器により構成した請求項３記載の空気供給装置。
【請求項６】
端末装置を布団乾燥器により構成した請求項３記載の空気供給装置。
【請求項７】
端末装置を、靴乾燥器により構成した請求項３記載の空気供給装置。
【請求項８】
端末装置を、浴室乾燥器により構成した請求項３記載の空気供給装置。
【請求項９】
端末装置を、衣類乾燥器により構成した請求項３記載の空気供給装置。
【請求項１０】
端末装置を、下方に向け空気を噴出する噴出口を有し、衣類等を掛けるハンガーが脱着可能なパイプを複数設けた噴出手段よりなる衣類乾燥器により構成した請求項９記載の空気供給装置。
【請求項１１】
端末装置として調湿器を設け、空気質変換装置の空気質変換手段を加湿器により構成した請求項１または２記載の空気供給装置。
【請求項１２】
端末装置をワインセラーにより構成した請求項１１記載の空気供給装置。
【請求項１３】
端末装置としてオゾン吹出口を設け、空気質変換装置の空気質変換手段をオゾン発生器により構成した請求項１または２記載の空気供給装置。
【請求項１４】
端末装置を生ごみ保管器により構成した請求項１３記載の空気供給装置。
【請求項１５】
端末装置を衣類殺菌乾燥器により構成した請求項１３記載の空気供給装置。
【請求項１６】
端末装置を布団殺菌乾燥器により構成した請求項１３記載の空気供給装置。
【請求項１７】
端末装置として吹出装置を設け、空気質変換装置の空気質変換手段を温度調節機器により構成した請求項１または２記載の空気供給装置。
【請求項１８】
端末装置をエアーカーテン装置により構成した請求項１７記載の空気供給装置。
【請求項１９】
端末装置として清浄空気吹出口を設け、空気質変換装置の空気質変換手段を空気清浄器により構成した請求項１または２記載の空気供給装置。
【請求項２０】
端末装置に設けられる風量設定手段と、この風量設定手段からの風量設定信号により送風装置の送風量を調整する制御装置とを備えた請求項１または２記載の空気供給装置。
【請求項２１】
送風装置に設けられる複数の送風機と、端末装置に設けられた風量設定手段からの風量設定信号により、前記送風装置の複数の送風機の運転を制御する制御装置とを備えた請求項１または２記載の空気供給装置。
【請求項２２】
端末装置に接続される送風配管に設けられる風量可変手段と、この風量可変手段を風量設定手段からの風量設定信号により制御する制御装置とを備えた請求項１または２記載の空気供給装置。
【請求項２３】
端末装置に接続される送風配管に設けられる流路開閉弁と、この流路開閉弁の開閉の切替えをするように前記端末装置に設けられる切替手段とを備え、前記切替手段により前記流路開閉弁を開または閉に切替える構成とした請求項１または２記載の空気供給装置。
【請求項２４】
複数設けられる空気質変換装置と、端末装置に設けられる風量設定手段に接続される空気質設定手段と、前記風量設定手段および空気質設定手段からの信号により前記複数の空気質変換装置の運転を制御する制御装置とを備えた請求項１または２記載の空気供給装置。
【請求項２５】
送風装置を空気圧縮手段および圧縮空気を蓄圧するボンベにより構成した請求項１または２記載の空気供給装置。
【請求項２６】
下方に向け空気を噴出する噴出口を有し、衣類等を掛けるハンガーが脱着可能なパイプを複数設けた噴出手段を収納できる形状で天井等に設けられる収納ケースと、この収納ケースに前記噴出手段を昇降自在に吊り下げる吊下手段とを備え、端末装置となる衣類乾燥装置を構成した請求項９または１０記載の空気供給装置。
【請求項２７】
噴出手段を下方に向け噴出可能に収納し、天井等に設けられる収納ケースと、この収納ケースに吊下手段を介して昇降自在に吊下げられる衣類を掛ける掛具とを備え、端末装置となる衣類乾燥装置を構成した請求項９または１０記載の空気供給装置。
【請求項２８】
噴出手段に供給される空気の一部を利用して可動する可動手段と、この可動手段により昇降する吊下手段とを備え、端末装置となる衣類乾燥装置を構成した請求項２６または２７記載の空気供給装置。
【発明の詳細な説明】
【０００１】
【発明の属する技術分野】
本発明は、室内側に設けられる空気を利用する機器よりなる端末装置に、室外側に設けられる空気質変換装置を介して空気を供給する空気供給装置に関する。
【０００２】
【従来の技術】
近年、室内の環境良化を図るため種々の空気調和機器が普及されるとともに、空気を利用する機器も増加してきており、空気の質を変換する空気質変換装置を室外側に設け、騒音の緩和を図ることが行われている。そして、室内側における空気使用量の変化にともない、空気質変換装置の機能および変換効率が大幅に変化しないようにすることの要求が高まってきている。
【０００３】
従来、この種の空気供給装置の一例として図３８に示される加湿装置が知られている。以下、その構成について図３８を参照しながら説明する。
【０００４】
図に示すように、吸湿性、通気性を有する吸着材１０１と、空気流Ａ、Ｂを発生させ吸着材１０１に空気流Ａ、Ｂを送風する送風手段１０２、１０３と、吸着材１０１に送風される第２の空気流Ｂを加熱する加熱手段１０４と、吸着材１０１を通った第２の空気流Ｂを室内１０５に導く通風路１０６とを備え、吸着材１０１は第１の空気流Ａが通ったとき、第１の空気流Ａ中の水分を吸着するとともに、加熱手段１０４にて加熱された第２の空気流Ｂが通ったとき、吸着材１０１に吸着されていた水分を第２の空気流Ｂ中に脱離してなり、第１の空気流Ａを室外１０７に排出し、第２の空気流路Ｂを通風路１０６を介して室内１０５に導く加湿装置１０８において、送風手段１０２、１０３を室外１０７に配設し構成していた。
【０００５】
また、室外側にエアーコンプレッサーを設け、吸気用配管および送気用配管を建物内に配設し、室内の複数個所に吸気用機器および送気用機器を設けた圧縮空気利用装置として特開平８−１２８１８３号公報に記載されたものが知られている。
【０００６】
また、空気供給装置の端末に、端末装置として設けられる衣類乾燥装置の一例として図３９に示されるものが知られており、その構成について図３９を参照しながら説明する。
【０００７】
図に示すように、フレーム２０１に物干し装置２０２を昇降自在に吊り下げ、物干し装置２０２にケース２０３を着脱自在に配し、フレーム２０１の近傍に送風装置２０４の送風口２０５を配置し、物干し装置２０２の上昇時に上昇したケース２０３の風口２０６と送風口２０５とが連通し、送風装置２０４にてケース２０３内に送風自在に構成していた。
【０００８】
【発明が解決しようとする課題】
このような従来の空気供給装置では、前者における加湿装置においては、室内側における端末において加湿空気の空気量が調整された場合には、端末での必要風量の増減により給気風量も増減し、それにともない、加湿装置１０８の通過風量も増減するため、加湿装置１０８に内蔵されている吸着材１０１からの水分の脱離機能の能力および変換効率がその時々で変化して加湿されることとなり、経済的でなく、使用時間も都度変化するとともに、加湿空気を、２階や３階の複数個所の部屋に供給する場合には、圧損が高く送風が困難になるという課題があった。
【０００９】
また、後者における衣類乾燥装置では、衣類を収納するケース２０３を設ける必要があり、取扱い性が悪く、送風効果も十分発揮できないという課題があった。
【００１０】
本発明は上記課題を解決するもので、室内側の端末装置における空気量変化が生じても空気質変換装置の能力および変換効率が大幅に変化するのを防止できるとともに、圧損が高い端末装置にも送風することができ、また、端末装置として使用される衣類乾燥装置の使い勝手の向上および送風効果を高めることのできる空気供給装置を提供することを目的とする。
【００１１】
【課題を解決するための手段】
本発明の空気供給装置においては、送風手段および空気質変換手段を有し、室外側に配設される空気質変換装置と、この空気質変換装置に直列に接続され室外側に配設される送風装置と、前記送風装置を室内側と連通し、室内側への空気供給通路となる送風配管と、この送風配管の端末に接続される端末装置とを備え、前記送風装置の静圧を空気質変換装置より大きく構成したものである。
【００１２】
この本発明によれば、室内側の端末装置における空気量変化が生じても空気質変換装置の能力および変換効率が大幅に変化するのを防止できるとともに、圧損が高い端末装置にも送風することができる空気供給装置を提供することができる。
【００１３】
【発明の実施の形態】
本発明の請求項１に記載の発明は、送風手段および空気質変換手段を有し、室外側に配設される空気質変換装置と、この空気質変換装置に直列に接続され室外側に配設される送風装置と、前記送風装置を室内側と連通し、室内側への空気供給通路となる送風配管と、この送風配管の端末に接続される端末装置とを備え、前記送風装置の静圧を空気質変換装置より大きく構成したものであり、端末装置において風量の調整が行われたときには、風量変化に対応して送風装置が制御されることとなり、空気質変換装置の空気質の変換に支障を来たすことなく、空気質の変換は続行される。また、端末装置が建物の２階や３階に配設され、圧損が高くなった場合においても端末装置に十分に送風が可能で空気質変換装置における性能は低下することなく保持することができるという作用を有する。
【００１４】
以下、本発明の実施の形態について、図１〜図３７を参照しながら説明する。
【００１５】
（実施の形態１）
図１に示すように、送風手段１および、周知の除湿器２よりなる空気質変換手段３を有し、外気を吸気するように室外側４に配設される空気質変換装置５を設け、空気質変換装置５と直列に、空気質変換装置５より静圧の高い送風装置６を設け、送風装置６からの送風空気を室内側７の複数個所に供給する空気供給通路となる送風配管８を設け、送風配管８の複数個所の端末にヘアドライヤー９からなる端末装置１０を接続し空気供給装置を構成する。
【００１６】
上記構成において、空気供給装置を運転すると室外側４で外気が送風手段１に吸気され、除湿器２により除湿され乾燥された空気が空気質変換装置５から送風装置６に送られ、送風装置６から送風配管８を介して複数の部屋または、１階、２階の複数の個所に送られ送風配管８の端末となる複数の端末装置１０を形成するヘアドライヤー９に送られヘアドライヤー９により送風される乾燥空気によりヘアーが速やかに乾燥される。
【００１７】
そして、ヘアドライヤー９が２階に設けられた場合のように１階に比較して高い静圧を必要とする場合においても空気質変換装置５より静圧の高い送風装置６により送風が可能となり、空気質変換装置５の性能は変化することがなく、また、ヘアドライヤー９において空気量が調整された場合にも送風装置６により対応され、空気質変換装置５の性能は保持されることとなる。
【００１８】
このように本発明の実施の形態１の空気供給装置によれば、送風手段１および空気質変換手段３を有し、外気を吸気するように室外側４に配設される空気質変換装置５と、この空気質変換装置５に直列に接続され室外側４に配設される送風装置６と、この送風装置６からの送風空気を室内側７へ供給する送風配管８と、この送風配管８の端末に接続される端末装置１０とを備え、送風装置６の静圧を空気質変換装置５より大きく構成したので、圧損が高い端末装置１０へも送風が可能で、空気質変換装置５の性能を保つことができる。つまり、空気質変換装置５の性能を保った空気を、十分に端末装置１０に供給できるのである。また、送風装置６からは高圧空気が送られるため細い（圧損の高い）ダクト配管でも多量の送風が可能で、通常、静圧不足で送風が不可能な端末へは、ダクトの途中に中間ダクトファンなどを取り付けることがあるが、端末が多い場合、中間ダクトファンの台数を増やす必要があるのに対し送風装置６の一台で全て賄うことができるとともにダクトの途中の施工も不要となる。
【００１９】
また、送風装置６と空気質変換装置５を管理するのみで使用先の防災、電力管理が容易にできるとともに、空気質変換装置５および送風装置６は室外側４に配設されるため、機器からの火災発生時に建物全体への延焼を防ぎ易い。
【００２０】
また、同一系列の端末を多数使用する際、熱源（空気質変換手段３）が１個で済むためコストを安くすることができることとなる。
【００２１】
また、端末装置１０に空気質を変換して供給する空気質変換装置５の空気質変換手段３を除湿器２により構成したので、除湿器２の排出する加湿空気用の配管が不要（除湿器２が室外側４に設置のため、室内側４にドレン菅が不要）になるとともに、省スペース低騒音が可能となる。
【００２２】
また、端末装置１０をヘアドライヤー９で構成したので、乾燥空気をノズル風で吹き付けることにより乾燥効果が高く、髪を傷めず乾燥することができる。
【００２４】
（実施の形態２）
図２に示すように、室内側７と連通する吸気配管１１を、空気質変換装置５Ａの送風手段１の吸気側に接続し空気供給装置を構成する。
【００２５】
上記構成において、空気供給装置を運転すると、室内側７の空気が吸気配管１１を介して空気質変換装置５Ａに吸気され、空気質変換装置５Ａに組み込まれた除湿器２により空気質が変換され、乾燥された空気は、送風装置６より送風配管８を介して室内側７に設けた端末装置１０となるヘアドライヤー９に送風され、髪を乾燥したのち室内側７に放散され室内側７の室内圧の変化が緩和されることとなる。
【００２６】
このように本発明の実施の形態２の空気供給装置によれば、室内側７と連通する吸気配管１１を空気質変換装置５Ａの送風手段１の吸気側に接続したので、変換された空気質を含む室内側７の空気をさらに変換することとなり変換効率が高くなるとともに、室外側４の外気温に左右されることなく空気質の変換ができることとなる。
【００２７】
なお、本実施の形態２では、吸気配管１１を空気質変換装置５Ａに接続する構成としているが、空気質変換装置５Ａと送風装置６を入れ替えて、送風装置６に吸気配管１１を接続して室内空気を吸気する構成としてもその作用効果に差異はなく、要は、室内側からより離れた送風路にある装置に吸気配管１１を接続すればよい。
【００２８】
（実施の形態３）
図３に示すように、送風配管８の端末を押入１２に接続し、端末装置１０Ａをノズル風吹出可能な押入乾燥器１３により形成し空気供給装置を構成する。
【００２９】
上記構成において、空気供給装置を運転すると空気質変換装置５の除湿器２により乾燥された空気が送風装置６より送風配管８を介して押入１２に設けた押入乾燥器１３に送られ押入乾燥器１３より押入１２内にノズル風で吹き付けられ押入１２内が乾燥されることとなる。
【００３０】
このように本発明の実施の形態３の空気供給装置によれば、端末装置１０Ａを押入乾燥器１３により構成したので、乾燥空気がノズル風に吹き付けられることで気流ができ押入１２の隅々まで乾燥空気が行きわたり乾燥ができることとなる。
【００３１】
（実施の形態４）
図４に示すように、送風配管８の端末を押入１２Ａの棚１４上に載置される布団１５間に挿入できる形状で表面に高速吹付けの吹付孔（図示せず）を有した布団乾燥器１６を端末装置１０Ｂとして構成する。
【００３２】
上記構成において、空気供給装置を運転すると、空気質変換装置５の除湿器２により乾燥された空気が送風装置６より送風配管８を介して押入１２Ａに設けた布団乾燥器１６に送られ、布団乾燥器１６の表面の吹付孔より布団１５に向かい高速空気が吹付けられ布団１５が乾燥されることとなる。
【００３３】
このように本発明の実施の形態４の空気供給装置によれば、端末装置１０Ｂを布団乾燥器１６により構成したので、除湿された乾燥空気で高速ノズル風で吹き付けるため、布団１５を押入１２Ａに入れたまま乾燥させても隅々まで乾燥させることができる。
【００３４】
（実施の形態５）
図５〜図７に示すように、送風配管８の高速ノズル風の端末に靴１７の内部に挿入され端末装置１０Ｃとなる形状の靴乾燥器１８を蛇腹１９を介して接続し空気供給装置を構成する。
【００３５】
上記構成において、空気供給装置を運転すると、空気質変換装置５の除湿器２により乾燥された空気が送風装置６より送風配管８を介して蛇腹１９内を通り靴乾燥器１８内に送られ、靴乾燥器１８より靴１７内に高速空気が吹き付けられ靴１７が乾燥されることとなる。
【００３６】
このように本発明の実施の形態５の空気供給装置によれば、端末装置１０Ｃを靴乾燥器１８により構成したので、除湿された乾燥空気を高速ノズル風で靴１７内に吹き付けるため、靴１７を高速乾燥することができる。
【００３７】
（実施の形態６）
図８に示すように、送風配管８の端末を浴室２０に設けた端末装置１０Ｄとなる浴室乾燥器２１に接続し、空気供給装置を構成する。
【００３８】
上記構成において、浴室２０で入浴後、空気供給装置を運転すると空気質変換装置５の除湿器２により乾燥された空気が送風装置６より送風配管８を介して浴室２０に設けた浴室乾燥器２１より浴室２０の壁面に向かい吹き出され、浴室２０の壁面に入浴中に付着した水分が乾燥されることとなる。
【００３９】
このように本発明の実施の形態６の空気供給装置によれば、端末装置１０Ｄを浴室２０に設けた浴室乾燥器２１により構成したので、除湿器２により除湿された乾燥空気は、ノズル風に浴室２０の壁面に向かい吹き出されることとなり、浴室２０の壁面が高速乾燥されることとなる。
【００４０】
また、浴室２０内に洗濯した衣類等を吊り下げておくことにより浴室２０を利用して洗濯物の乾燥も行うことができる。
【００４１】
（実施の形態７）
図９〜図１１に示すように、下方に向け空気を噴出する噴出口２２を有したパイプ２３を複数本、一端において連結部材２４で通気可能に連結し、洗濯後の衣類等を掛けるハンガー（図示せず）が脱着可能となるように形成した噴出手段２５を所定の高さで保持する脚部２６に設け、連結部材２４に接続される蛇腹１９Ａを送風配管８の端末に接続して端末装置１０Ｅとなる衣類乾燥器２７を形成し空気供給装置を構成する。
【００４２】
上記構成において、洗濯された衣類を掛けたハンガーを噴出手段２５のパイプ２３に掛け、空気供給装置を運転すると、空気質変換装置５の除湿器２により乾燥された空気が送風装置６より送風配管８および蛇腹１９Ａを通り衣類乾燥器２７に供給され、供給された空気は噴出手段２５のパイプ２３に設けた噴出口２２より、ハンガーを介してパイプ２３に吊り下げられた衣類に吹き付けられ、衣類に除湿された空気が接触して衣類が乾燥されることとなる。
【００４３】
このように本発明の実施の形態７の空気供給装置によれば、端末装置１０Ｅを衣類乾燥器２７により構成したので、高圧乾燥空気をノズル風で吹き付けることができ乾燥効果が高くなるとともに、高圧乾燥空気の吹き付けで衣類を傷めず乾燥することができる。
【００４４】
また、端末装置１０Ｅを、下方に向け空気を噴出する噴出口２２を有し、衣類等を掛けるハンガーが脱着可能なパイプ２３を複数設けた噴出手段２５よりなる衣類乾燥器２７により構成したので、従来のようにケース内の雰囲気温度を変えるものと比較して、ケースが不必要となるとともに、噴出手段２５から直接衣類全体へ乾燥空気を吹出し、送風効果も加わり衣類が乾燥されることとなる。
【００４５】
（実施の形態８）
図１２に示すように空気質変換装置５Ｂの空気質変換手段３Ａを加湿器２８により形成し、送風装置６より加湿空気を送る送風配管８の端末には端末装置１０Ｆとして調湿器２９を接続し空気供給装置を構成する。
【００４６】
上記構成において、空気供給装置を運転すると、室外側４で外気が送風手段１に吸気され、加湿器２８により加湿され、加湿された空気が空気質変換装置５Ｂから送風装置６に送られ、送風装置６から送風配管８を介し端末装置１０Ｆを形成する調湿器２９に送られ調湿器２９より高速で加湿空気が送風されて調湿されることとなる。
【００４７】
このように本発明の実施の形態８の空気供給装置によれば、空気質変換装置５Ｂの空気質変換手段３Ａを加湿器２８により構成したので、高速の加湿空気が調湿器２９に送られることとなり、調湿棚のような使用方法でも高速ノズル風の加湿空気が送風され、入り組んだ棚の隅々まで加湿送風が可能となる。
【００４８】
また、省スペースで低騒音であるとともに、花等への霧吹きとしても利用することができる。
【００４９】
（実施の形態９）
図１３に示すように、送風配管８の端末をワインボトル３０を保管する保管庫３１に接続し、端末装置１０Ｇをワインセラー３２により形成し、保管庫３１には排気口３３を設け空気供給装置を構成する。
【００５０】
上記構成において、空気供給装置を運転すると、空気質変換装置５Ｂの加湿器２８により加湿された空気が送風装置６より送風配管８を介してワインセラー３２に保管されたワインボトル３０を加湿空気を流すことにより、ワインセラー３２内は新鮮な外気を含む加湿空気により常にリフレッシュ状態でワインボトル３０を包み込み理想の環境でワインを眠らせることとなる。
【００５１】
このように本発明の実施の形態９の空気供給装置によれば、端末装置１０Ｇをワインセラー３２により構成したので、既存のワインセラーのように外気吸入部および、圧縮機や水を蒸発させる水受皿（図示せず）を設けたワインセラー内で加湿空気を循環させる場合と比較して室内側に設けられるワインセラー３２の構造が外気吸入部および圧縮機や水受皿等からなる加湿部の２装置を設ける必要がなくなり、省スペース化が図られるとともに騒音も緩和されることとなる。
【００５２】
（実施の形態１０）
図１４に示すように、送風手段１およびオゾン発生器３４よりなる空気質変換手段３Ｂを有し、室外側４に配設される空気質変換装置５Ｃを設け、空気質変換装置５Ｃと直列に設けた送風装置６に接続された送風配管８の端末にオゾン吹出口３５よりなる端末装置１０Ｈを設け空気供給装置を構成する。
【００５３】
上記構成において、空気供給装置を運転すると、室外側４で外気が送風手段１に吸気され、オゾン発生器３４により発生したオゾンを含む空気が空気質変換装置５Ｃから送風装置６に送られ、送風装置６から送風配管８を介し、端末装置１０Ｈとなるオゾン吹出口３５よりオゾンを含む空気が吹き出され、オゾンの作用により殺菌が行われることとなる。
【００５４】
このように本発明の実施の形態１０の空気供給装置によれば、端末装置１０Ｈに空気質を変換して供給する空気質変換装置５Ｃの空気質変換手段３Ｂをオゾン発生器３４により構成したので、比較的重量のあるオゾン発生器３４を室外側４に配設するので省スペース、低騒音化が可能であるとともに、室内側７に設けられ吹出口３５の重量を軽くできるため使用者が手に持って扱う場合にも長時間の使用が苦もなく行なえ、固定する場合にも構造が簡単な華奢な固定手段で固定することができる。
【００５５】
（実施の形態１１）
図１５に示すように、オゾンを含む空気を送る送風配管８の端末に設けられるオゾン吹出口３５Ａを端末装置１０Ｊとなる生ごみ保管器３６の内部に生ごみ３７により埋められるように設け空気供給装置を構成する。
【００５６】
上記構成において、空気供給装置を運転すると、室外側４で外気が送風手段１に吸気され、オゾン発生器３４により発生したオゾンを含む空気が空気質変換装置５Ｃから送風装置６に送られ送風装置６から送風配管８を介し端末装置１０Ｊとなる生ごみ保管器３６の内部に設けられたオゾン吹出口３５Ａより生ごみ３７内に送られ、生ごみ３７の殺菌が行われることとなる。
【００５７】
このように本発明の実施の形態１１の空気供給装置によれば、端末装置１０Ｊを生ごみ保管器３６により構成し、生ごみ保管器３６に投入された生ごみ３７内にオゾン吹出口３５Ａよりオゾンを吹き出すので、生ごみ３７の内部の殺菌が可能となり生ごみ３７の表面しか殺菌されなかった場合と比較して生ごみ中の菌の殺菌効率を高めることができる。
【００５８】
（実施の形態１２）
図１６〜図１８に示すように、下方に向け空気を噴出する噴出口２２を有したパイプ２３を複数本、一端において連結部材２４で通気可能に連結し、洗濯後の衣類等を掛けるハンガー（図示せず）が脱着可能となるように形成した噴出手段２５を所定の高さで保持する脚部２６を設け、連結部材２４に接続される蛇腹１９Ａを送風配管８の端末に接続して端末装置１０Ｋとなる衣類殺菌乾燥器３８を形成し、空気質変換装置５Ｃから送られるオゾンを含む空気を供給するように空気供給装置を構成する。
【００５９】
上記構成において、洗濯された衣類を掛けたハンガーを噴出手段２５のパイプ２３に掛け、空気供給装置を運転すると、空気質変換装置５Ｃのオゾン発生器３４よりオゾンを含む空気が送風装置６より送風配管８および蛇腹１９Ａを通り衣類殺菌乾燥器３８に供給され、供給された空気は、噴出手段２５のパイプ２３に設けた噴出口２２よりハンガーを介してパイプ２３に吊り下げられた衣類に吹き付けられ、衣類が乾燥されるとともに、空気中に含まれるオゾンにより殺菌作用が行われることとなる。
【００６０】
このように本発明の実施の形態１２の空気供給装置によれば、端末装置１０Ｋを衣類殺菌乾燥器３８により構成したので、オゾンを含む空気が噴出手段２５により衣類に吹き付けられることによって乾燥効果が高まるとともに、ダニ等を殺菌し衛生的に乾燥させることができる。
【００６１】
（実施の形態１３）
図１９に示すように、送風配管８の端末を押入１２Ａの棚１４上に載置される布団１５間に挿入できる形状で表面に高速吹付けの吹付孔（図示せず）を有した布団殺菌乾燥器３９を端末装置１０Ｌとして空気供給装置を構成する。
【００６２】
上記構成において、空気供給装置を運転すると、空気質変換装置５Ｃのオゾン発生器３４によりオゾンを含む空気が送風装置６より送風配管８を介して押入１２Ａに設けた布団殺菌乾燥器３９に送られ、布団殺菌乾燥器３９の表面に設けた吹付孔より布団１５に向かい高速空気が吹付けられ、布団１５が乾燥されるとともに、ダニ等の害虫が空気中のオゾンにより殺菌されることとなる。
【００６３】
このように本発明の実施の形態１３の空気供給装置によれば、端末装置１０Ｌを布団殺菌乾燥器３９により構成したので、オゾンを含む空気が布団１５に向かい吹付けられ布団１５の乾燥効果が高まるとともに、布団に住みついているダニ等の害虫が殺菌され衛生的に乾燥することができる。
【００６４】
（実施の形態１４）
図２０に示すように、送風手段１および、冷房または暖房に切替え可能な温度調節機器４０よりなる空気変換手段３Ｃを有し、室外側４に配設される空気質変換装置５Ｄを設け、空気質変換装置５Ｄに直列に接続された送風装置６からの冷房空気または暖房空気を室内側７の複数個所に供給する送風配管８を設け、送風配管８の複数の端末には、吹出装置４１からなる端末装置１０Ｍを接続し空気供給装置を構成する。
【００６５】
上記構成において、室内側７を冷房するときには、空気質変換装置５Ｄの温度調節機器４０を冷房運転に切替え、空気供給装置を運転すると、空気質変換装置５Ｄに設けた温度調節機器４０が冷房運転され、冷房空気が送風装置６より送風配管８を介し室内側７に設けた吹出装置４１より室内側７に向かい冷房空気が送風されて冷房が行われることとなる。
【００６６】
また、室内側７を暖房するときには、空気質変換装置５Ｄの温度調節機器４０を暖房運転に切替え、空気供給装置を運転すると、空気質変換装置５Ｄに設けた温度調節機器４０が暖房運転され、暖房空気が送風装置６より送風配管８を介し室内側７に設けた吹出装置４１より室内側７に向かい暖房空気が送風されて暖房が行われることとなる。
【００６７】
このように本発明の実施の形態１４の空気供給装置によれば、室外側４に設けられる空気質変換装置５Ｄの空気質変換手段３Ｃを冷房または暖房に切替え温度を調節する温度調節機器４０により構成したので、省スペース、低騒音化が可能となるとともに、吹出装置４１の重量を軽くすることができ、人が取扱う場合は長時間使用することができ、固定する場合は華奢な取付部でも容易に取り付けられることとなる。
【００６８】
（実施の形態１５）
図２１に示すように、冷房または暖房に切替え可能な温度調節機器４０を有し、室外側４に配設される空気質変換装置５Ｄを設け、送風装置６により送風配管８を介し室内側内に送られる送風配管８の端末を、室内側７と室外側４間に設けられる出入口の室内側７の上部に下方に向け空気が吹き出され出入口を空気膜４２で遮へいする形状のエアーカーテン装置４３により形成し、端末装置１０Ｎとして空気供給装置を構成する。
【００６９】
上記構成において、夏季等室内側７を冷房しているときには、空気質変換装置５Ｄの温度調節機器４０を冷房運転に切替え、空気供給装置を運転すると、空気質変換装置５Ｄに設けた温度調節機器４０が冷房運転され、冷房空気が端末装置１０Ｎとなるエアーカーテン装置４３により下方に向け吹き出され、空気膜４２を形成して出入口を空気膜４２により遮へいする。このとき、エアーカーテン装置４３より吹き出される空気の一部は室内側７に送風されることとなる。
【００７０】
また、冬季等、室内側７を暖房しているときには、空気質変換装置５Ｄの温度調節機器４０を暖房運転に切替え、空気供給装置を運転すると、空気質変換装置５Ｄに設けた温度調節機器４０が暖房運転され、暖房空気がエアーカーテン装置４３より吹き出され空気膜４２が形成され、出入口を空気膜４２により遮へいし、吹き出された空気の一部は室内側７に送風されることとなる。
【００７１】
このように本発明の実施の形態１５の空気供給装置によれば、端末装置１０Ｎをエアーカーテン装置４３により構成したので、室内側７の温度変化が少なく、エアーカーテン装置４３により空気の一部が室内側７に送風されることで、室内側７の温度変化が少なく、室内側７の温度調節が可能となる。
【００７２】
また、エアーカーテン装置４３には、送風機、ヒータあるいは冷凍機等が不要で省スペース、低重量化が図られるとともに、エアーカーテン装置４３の重量が軽いので、取扱いが容易で施工も簡単に行うことができる。
【００７３】
（実施の形態１６）
図２２に示すように、空気質変換装置５Ｅの空気質変換手段３Ｄを空気清浄器４４により形成し、送風装置６より清浄空気を送る送風配管８の室内側７に位置する端末には端末装置１０Ｐとして清浄空気吹出口４５を接続し空気供給装置を構成する。
【００７４】
上記構成において、空気供給装置を運転すると、室外側４で外気が送風手段１に吸気され、空気清浄器４４により清浄化され、清浄された空気は空気質変換装置５Ｅから送風装置６に送られ、送風装置６から送風配管８を介し、端末装置１０Ｐを形成する清浄空気吹出口４５より室内側７に吹き出され、室内側７の汚染空気は室内圧が高まるにともない、室外側４に排出され、室内側７には清浄空気が充満されることとなる。
【００７５】
このように本発明の実施の形態１６の空気供給装置によれば、空気質変換装置５Ｅの空気質変換手段３Ｄを空気清浄器４４により構成したので、周知の外気取入れ型の空気清浄器のように天井埋込み型であると、メンテナンスが困難で室内側におけるスペースが大きかったが、本発明では、清浄空気吹出口４５以外は室外側４の地上に設置することができることとなり、メンテナンスや設置が容易で室内側７に大きな設置スペースが不要となる。
【００７６】
（実施の形態１７）
図２３および図２４に示すように、端末装置４６Ａ、４６Ｂに風量設定手段４７Ａ、４７Ｂを設け、風量設定手段４７Ａ、４７Ｂからの風量設定信号を受けて演算する風量演算手段４８を設けた制御装置４９を備え、制御装置４９により送風装置６Ａの運転を制御して送風量を可変せしめる構成とする。
【００７７】
上記構成において、風量設定手段４７Ａ、４７Ｂにより風量が設定されると、風量設定手段４７Ａ、４７Ｂからの風量設定信号が風量演算手段４８に送られ、演算された風量となるように制御装置４９により送風装置６Ａの送風ファンの回転数が制御され、送風量が制御されて設定された風量が端末装置４６Ａ、４６Ｂに送られ送風されることとなる。
【００７８】
このように本発明の実施の形態１７の空気供給装置によれば、端末装置４６Ａ、４６Ｂに設けられる風量設定手段４７Ａ、４７Ｂと、この風量設定手段４７Ａ、４７Ｂからの風量設定信号により送風装置６Ａの送風量を制御する制御装置４９を設けたので、送風量が可変されることで端末装置４６Ａ、４６Ｂの要求（各端末までのダクト長による圧損や、送風ノッチ、複数端末の使用時など）に応じることができ、各端末装置４６Ａ、４６Ｂの風量を一定にできる。
【００７９】
（実施の形態１８）
図２５および図２６に示すように、送風装置６Ｂを複数の送風機５０Ａ、５０Ｂにより形成し、端末装置４６Ｃ、４６Ｄに設けられる風量設定手段４７Ａ、４７Ｂからの風量設定信号により、送風装置６Ｂに設けた複数の送風機５０Ａ、５０Ｂの運転を独立あるいは同時に制御装置４９Ａで制御する構成とする。
【００８０】
上記構成において、端末装置４６Ｃ、４６Ｄに設けられる風量設定手段４７Ａ、４７Ｂにより風量が設定され、設定された風量が小風量の場合には、制御装置４９Ａにより送風装置６Ｂに設けた送風機５０Ａまたは５０Ｂの１台を運転し、風量設定手段４７Ａ、４７Ｂにより設定された風量が大風量の場合には送風装置６Ｂに設けた２台の送風機５０Ａ、５０Ｂを運転することにより大風量に対応することができることとなる。
【００８１】
このように本発明の実施の形態１８の空気供給装置によれば、送風装置６Ｂに設けられる複数の送風機５０Ａ、５０Ｂと、端末装置４６Ｃ、４６Ｄに設けられた風量設定手段４７Ａ、４７Ｂからの風量設定信号により、送風装置６Ｂの複数の送風機５０Ａ、５０Ｂを単独あるいは同時に運転を制御する制御装置４９Ａとを備えたので、回転数を調節する代りに、送風機５０Ａ、５０Ｂの運転台数により風量調節を行うことができ、また、小風量を送風するには、小容量の送風機５０Ａ、５０Ｂの方が効率が良くなるとともに、大風量にも対応することができる。
【００８２】
（実施の形態１９）
図２７および図２８に示すように、端末装置４６Ｅ、４６Ｆに接続される送風配管８Ａの端末に設けられるダンパー等よりなる風量可変手段５１Ａ、５１Ｂと、この風量可変手段５１Ａ、５１Ｂを端末装置４６Ｅ、４６Ｆに設けた風量設定手段４７Ａ、４７Ｂからの風量設定信号により風量演算手段４８を介し制御する制御装置４９Ｂを設けた構成とする。
【００８３】
上記構成において、端末装置４６Ｅ、４６Ｆに設けた風量設定手段４７Ａ、４７Ｂにより風量が設定されると、風量設定手段４７Ａ、４７Ｂからの風量設定信号により風量演算手段４８を介して制御装置４９Ｂが風量可変手段５１Ａ、５１Ｂを制御し、端末装置４６Ｅ、４６Ｆからは設定された風量が送風されることとなる。
【００８４】
このように本発明の実施の形態１９の空気供給装置によれば、端末装置４６Ｅ、４６Ｆに接続される送風配管８Ａの端末に設けられる風量可変手段５１Ａ、５１Ｂと、この風量可変手段５１Ａ、５１Ｂを風量設定手段４７Ａ、４７Ｂからの風量設定信号により制御する制御装置４９Ｂとを備えたので、風量可変手段５１Ａ、５１Ｂの絞り具合により、端末装置４６Ｅ、４６Ｆの風量を調節することができるとともに、端末装置４６Ｅを１階に設け、端末装置４６Ｆを３階に設けた場合、１階の端末装置４６Ｅの風量は多く、３階の端末装置４６Ｆの風量が少なくなるのを同一の風量に調節することができる。
【００８５】
（実施の形態２０）
図２９および図３０に示すように、端末装置４６Ｇ、４６Ｈに接続される送風配管８Ａの端末に設けられる流路開閉弁５２Ａ、５２Ｂと、この流路開閉弁５２Ａ、５２Ｂの開閉を切替えるように端末装置４６Ｇ、４６Ｈに設けられる切替手段５３Ａ、５３Ｂとを備え、切替手段５３Ａ、５３Ｂにより、流路開閉弁５２Ａ、５２Ｂを開または閉に切替えるとともに、流路開閉弁５２Ａ、５２Ｂがいずれも閉に切替えられたときには、送風部分の運転は停止されるような構成とする。
【００８６】
上記構成において、一方の端末装置４６Ｇの送風を停止するときには、端末装置４６Ｇに設けた切替手段５３Ａを閉に切替えることにより流路開閉弁５２Ａが閉となり送風流路が閉鎖され、他方の流路開閉弁５２Ｂが開となっているときには端末装置４６Ｈのみから送風され、逆に端末装置４６Ｈの送風を停止すると、端末装置４６Ｇからのみ送風することができる。
【００８７】
そして、端末装置４６Ｇ、４６Ｈの送風を停止したいときには、切替手段５３Ａ、５３Ｂを閉に切替えて流路開閉弁５２Ａ、５２Ｂをいずれも閉状態にしたときには、送風部分の運転は停止されることとなる。
【００８８】
このように本発明の実施の形態２０の空気供給装置によれば、端末装置４６Ｇ、４６Ｈに接続される送風配管８Ａに設けられる流路開閉弁５２Ａ、５２Ｂと、この流路開閉弁５２Ａ、５２Ｂの開閉の切替えをするように端末装置４６Ｇ、４６Ｈに設けられる切替手段５３Ａ、５３Ｂとを備え、切替手段５３Ａ、５３Ｂにより流路開閉弁５２Ａ、５２Ｂを開または閉に切替える構成としたので、周知のセントラルクリーナのようにエアコンセントとの接続の有無でダクトの開閉が決められていた場合と比較して、端末装置を常時付けっぱなしで流路の開閉ができ、また、送風部分と流路開閉弁５２Ａ、５２Ｂを電気的に接続しておくことにより、流路の開閉に応じて送風部分の運転停止を制御できる。
【００８９】
（実施の形態２１）
図３１および図３２に示すように、複数台設けられる空気質変換装置５Ｆ、５Ｇと、端末装置４６Ｊ、４６Ｋ、４６Ｌに設けられる風量設定手段４７Ｃ、４７Ｄ、４７Ｅと電気的に接続される空気質設定手段５４Ａ、５４Ｂ、５４Ｃとを設け、空気質設定手段５４Ａ、５４Ｂ、５４Ｃにより設定された値と、風量設定手段４７Ｃ、４７Ｄ、４７Ｅからの値を元に演算手段５５において空気質変換装置５Ｆ、５Ｇの運転台数を演算し、制御装置４９Ｃにより空気質変換装置５Ｆ、５Ｇの運転を制御する構成とする。
【００９０】
上記構成において、複数の端末装置４６Ｊ、４６Ｋ、４６Ｌに設けた風量設定手段４７Ｃ、４７Ｄ、４７Ｅに接続された空気質設定手段５４Ａ、５４Ｂ、５４Ｃが作動し、信号は演算手段５５に送られ、送られた信号を元に空気質変換装置５Ｆ、５Ｇの運転台数が演算され、制御装置４９Ｃにより空気質変換装置５Ｆ、５Ｇの運転が制御され、風量設定手段４７Ｃ、４７Ｄ、４７Ｅからの風量設定が大きくなり、空気質設定手段５４Ａ、５４Ｂ、５４Ｃからの空気質変換の必要性が大きくなると２台の空気質変換装置５Ｆ、５Ｇを共に運転して空気質を十分に変換した空気を送風することができる。
【００９１】
このように本発明の実施の形態２１の空気供給装置によれば、複数設けられる空気質変換装置５Ｆ、５Ｇと、端末装置４６Ｊ、４６Ｋ、４６Ｌに設けられる風量設定手段４７Ｃ、４７Ｄ、４７Ｅに接続される空気質設定手段５４Ａ、５４Ｂ、５４Ｃと、風量設定手段４７Ｃ、４７Ｄ、４７Ｅと空気質設定手段５４Ａ、５４Ｂ、５４Ｃの値を元に空気質変換装置５Ｆ、５Ｇの運転台数を演算する演算手段５５と、この演算手段５５からの信号により空気質変換装置５Ｆ、５Ｇの運転を制御する制御装置４９Ｃとを設けたので、端末装置４６Ｊ、４６Ｋ、４６Ｌの空気質変換量（例えば除湿量）が足りない場合には空気質変換装置５Ｆ、５Ｇの２台を運転することにより対応することができる。
【００９２】
（実施の形態２２）
図３３に示すように、空気質変換装置５で空気質が変換された空気が送り込まれる送風装置６Ｃを空気圧縮手段５６および、圧縮空気を蓄圧するボンベ５７により構成する。
【００９３】
上記構成において、送風装置６Ｃは、空気圧縮手段５６により圧縮された圧縮空気はボンベ５７に蓄圧され、蓄圧された空気が送風配管８の端末に接続された端末装置４６Ａ、４６Ｂに送風されることとなる。
【００９４】
このように本発明の実施の形態２２の空気供給装置によれば、送風装置６Ｃを空気圧縮手段５６および圧縮空気を蓄圧するボンベ５７により構成したので、夜間電力でボンベ５７に空気質変換した空気を貯えておいて、日中は貯えた空気を使用することができることとなり、夜間電力を利用して送風することが可能となり、電気代を節約することができる。
【００９５】
（実施の形態２３）
図３４および図３５に示すように、下方に向け空気を噴出する噴出口２２Ａを有したパイプ２３Ａを複数本、一端において連結部材２４で通気可能に連結し洗濯後の衣類等を掛けるハンガー（図示せず）が脱着可能となるように形成した噴出手段２５Ａを設け、連結部材２４に接続される蛇腹１９Ａを送風配管８の端末に接続し、噴出手段２５Ａを収納できる形状で天井等に設けられる収納ケース５８と、この収納ケース５８に噴出手段２５Ａを昇降自在に吊り下げる吊下手段５９とを備え、噴出手段２５Ａを不使用時には収納ケース５８内に収納できるように形成した衣類乾燥装置６０を端末装置１０Ｒとして構成する。
【００９６】
上記構成において、洗濯した衣類を乾燥するときには、収納ケース５８内に収納された噴出手段２５Ａを吊下手段５９を介して所定の高さまで下降させ、衣類を掛けたハンガーを噴出手段２５Ａのパイプ２３Ａに掛け、空気供給装置を運転すると空気質変換装置の除湿器により除湿され乾燥された空気が送風装置（図示せず）より送風配管８および蛇腹１９Ａを通り端末装置１０Ｒとなる衣類乾燥装置６０の噴出手段２５Ａに供給され、供給された空気は噴出手段２５Ａのパイプ２３Ａに設けた噴出口２２Ａより衣類に吹き付けられ、衣類に乾燥された空気が接触して衣類が乾燥されることとなる。
【００９７】
そして、衣類を乾燥しない不使用時には、吊下手段５９を介して噴出手段２５Ａを収納ケース５８内に収納する。
【００９８】
このように本発明の実施の形態２３の空気供給装置によれば、下方に向け空気を噴出する噴出口２２Ａを有し、衣類等を掛けるハンガーが脱着可能なパイプ２３Ａを複数設けた噴出手段２５Ａを収納できる形状で天井等に設けられる収納ケース５８と、この収納ケース５８に噴出手段２５Ａを昇降自在に吊下げる吊下手段５９とを備え、噴出手段２５Ａを不使用時には収納ケース５８内に収納できるように端末装置１０Ｒとなる衣類乾燥装置６０を構成したので、噴出手段２５Ａのみを昇降することができ、取扱い性が良くなるとともに、不使用時には天井等へ収納可能となり邪魔にならなく、噴出手段２５Ａが下降した状態で乾燥が可能となる。
【００９９】
（実施の形態２４）
図３６に示すように、噴出手段２５Ｂを下方に向け噴出可能に収納し、天井面等に設けられる収納ケース５８Ａと、この収納ケース５８Ａに衣類等を掛けるハンガーが脱着可能なパイプ材等を複数本間隔をあけて並設した掛具６１を吊下手段５９Ａを介して昇降自在に設け、衣類乾燥装置６０Ａを形成して端末装置１０Ｓを構成する。
【０１００】
上記構成において、洗濯をした衣類を乾燥するときには、衣類乾燥装置６０Ａの掛具６１を吊下手段５９Ａを介して下降させ、衣類を掛けたハンガーをパイプ材等からなる掛具６１に掛け、衣類を掛けた掛具６１を吊下手段５９Ａを介して噴出手段２５Ｂの近くまで上昇させたのち、空気供給装置を運転して噴出手段２５Ｂに除湿された乾燥空気を送り、噴出手段２５Ｂより乾燥空気を衣類に向けて噴出し乾燥空気を衣類に接触して衣類を乾燥する。
【０１０１】
そして、衣類を乾燥後は、空気供給装置の運転を停止し、掛具６１を吊下手段５９Ａを介して衣類を取り外せる状態に下降させ衣類を掛具６１より取り外した後、掛具６１を吊下手段５９Ａを介して噴出手段２５Ｂの近傍に移動し、掛具６１が邪魔にならないようにする。
【０１０２】
このように本発明の実施の形態２４の空気供給装置によれば、噴出手段２５Ｂを下方に向け噴出可能に収納し、天井面等に設けられる収納ケース５８Ａと、この収納ケース５８Ａに昇降自在に吊下手段５９Ａを介して吊下げられる衣類等を掛けるハンガーが脱着可能に設けられる掛具６１とを備え、端末装置１０Ｓとなる衣類乾燥装置６０Ａを構成したので、吊下手段５９Ａで吊下げられるのは衣類を掛ける掛具６１のみであるので、噴出手段を昇降する場合と比較して重量が軽く、昇降が容易となるとともに、掛具６１としては市販品の物を使用することが可能となり便利となる。
【０１０３】
（実施の形態２５）
図３７に示すように、噴出手段２５Ｃに蛇腹１９Ａを介して供給する送風配管８Ｂの空気の一部を供給パイプ６２により供給することで空気圧によって可動する可動手段６３と、可動手段６３に連結されたワイヤー６４により昇降する吊下手段５９Ｂと、この吊下手段５９Ｂにより昇降する噴出手段２５Ｃとにより形成した衣類乾燥装置６０Ｂを形成して端末装置１０Ｔを構成する。
【０１０４】
上記構成において、洗濯をした衣類を乾燥するときには、衣類乾燥装置６０Ｂの噴出手段２５Ｃを収納ケース５８Ｂより下降させ、衣類を噴出手段２５Ｃに掛けた後、可動手段６３に供給パイプ６２を介して空気を送るように制御することにより、可動手段６３が可動し、可動手段６３に連結したワイヤー６４に引張られ、吊下手段５９Ｂを介して噴出手段２５Ｃを上昇させた後、噴出手段２５Ｃに供給された乾燥空気により衣類が乾燥されることとなる。
【０１０５】
本発明の実施の形態２５の空気供給装置によれば、噴出手段２５Ｃに供給される空気の一部を利用して可動する可動手段６３と、この可動手段６３により昇降する吊下手段５９Ｂと、この吊下手段５９Ｂにより昇降自在に設けられる噴出手段２５Ｃとを備え、端末装置１０Ｔとなる衣類乾燥装置６０Ｂを構成したので、天井への施工はダクト配管のみで施工が容易となるとともに、余分な空気を利用して噴出手段２５Ｃを昇降できるので省エネ効果がもたらされる。
【０１０６】
また、電気不使用なため濡れた衣類が接触しても安全である。
【０１０７】
【発明の効果】
以上の実施の形態から明らかなように、本発明によれば、送風手段および空気質変換手段を有し、室外側に配設される空気質変換装置と、この空気質変換装置に直列に接続され室外側に配設される送風装置と、前記送風装置を室内側と連通し、室内側への空気供給通路となる送風配管と、この送風配管の端末に接続される端末装置とを備え、前記送風装置の静圧を空気質変換装置より大きく構成したので、圧損が高い端末にも送風が可能で、空気質変換装置の性能を保つことができる効果のある空気供給装置を提供できる。
【０１０８】
また、室内側と連通する吸気配管を備え、前記吸気配管を、空気質変換装置の送風手段の吸気側、または送風装置の吸気側の、室内側からより離れた送風路に位置するいずれかに接続したので、空気質の変換効率が高くなるとともに、外気温に関係なく空気質を変換できる。
【０１０９】
また、端末装置に空気質を変換して供給する空気質変換装置の空気質変換手段を除湿器により構成したので、除湿器の排出する加湿空気用の配管および室内側のドレン配管が不用で、省スペース、低騒音が可能となる。
【０１１０】
また、端末装置をヘアドライヤーにより構成したので、乾燥効果が高く、髪を傷めることが防止できる。
【０１１１】
また、端末装置を押入乾燥器により構成したので、押入の狭い部分を隅々まで乾燥が可能となる。
【０１１２】
また、端末装置を布団乾燥器により構成したので、布団を押入に入れたままでも乾燥させることができる。
【０１１３】
また、端末装置を靴乾燥器により構成したので、靴を高速乾燥することができる。
【０１１４】
また、端末装置を浴室乾燥器により構成したので、乾燥空気を浴室壁面に吹き付けることができ、高速乾燥することができる。
【０１１５】
また、端末装置を衣類乾燥器により構成したので、衣類を傷めず高速乾燥することができる。
【０１１６】
また、端末装置を、下方に向け空気を噴出する噴出口を有し、衣類等を掛けるハンガーが脱着可能なパイプを複数設けた噴出手段よりなる衣類乾燥器により構成したので、従来例のようにケースを設ける必要がなく、送風効果も加え高速乾燥することができる。
【０１１７】
また、端末装置として調湿器を設け、空気質変換装置の空気質変換手段を加湿器により構成したので、隅々まで加湿送風が可能で、省スペース低騒音化が図られるとともに、花等への霧吹きとして利用することができる。
【０１１８】
また、端末装置をワインセラーにより構成したので、省スペース化を図ることができる。
【０１１９】
また、端末装置としてオゾン吹出口を設け、空気質変換装置の空気質変換手段をオゾン発生器により構成したので、省スペース、低騒音化が可能になるとともに、端末装置が軽量で取扱いが容易となる。
【０１２０】
また、端末装置を生ごみ保管器により構成したので、生ごみの内部の殺菌も可能となる。
【０１２１】
また、端末装置を衣類殺菌乾燥器により構成したので、殺菌空気で衣類を衛生的に乾燥できる。
【０１２２】
また、端末装置を布団殺菌乾燥器により構成したので、布団のダニ等を殺菌しながら乾燥することができる。
【０１２３】
また、端末装置として吹出装置を設け、空気質変換装置の空気質変換手段を温度調節機器により構成したので、省スペース、低騒音化が可能で端末装置の重量が軽減され取扱いが容易となる。
【０１２４】
また、端末装置をエアーカーテン装置により構成したので、室内側の温度変化が少なく、室内側の温度調節も可能となるとともに、端末装置の軽量化が図られ取扱いが容易となる。
【０１２５】
また、端末装置として清浄空気吹出口を設け、空気質変換装置の空気質変換手段を空気清浄器により構成したので、清浄空気吹出口以外は室外側の地上に設置するため、メンテナンスや設置が容易となる。
【０１２６】
また、端末装置に設けられる風量設定手段と、この風量設定手段からの風量設定信号により送風装置の送風量を調整する制御装置とを備えたので、端末での要求に応じることができ、端末の風量を一定にできる。
【０１２７】
また、送風装置に設けられる複数の送風機と、端末装置に設けられる風量設定手段からの風量設定信号により、前記送風装置の複数の送風機の運転を制御する制御装置とを備えたので、効率の良い小風量の送風機を使用することができ送風装置の効率向上を図ることができる。
【０１２８】
また、端末装置に接続される送風配管に設けられる風量可変手段と、この風量可変手段を風量設定手段からの風量設定信号により制御する制御装置を備えたので、風量可変手段により端末の風量が調節でき、１階と３階の端末における風量を同一にすることができる。
【０１２９】
また、端末装置に接続される送風配管に設けられる流路開閉弁と、この流路開閉弁の開閉の切替えをするように端末装置に設けられる切替手段とを備え、前記切替手段により前記流路開閉弁を開または閉に切替える構成としたので、端末装置を常時付けっぱなしで流路の開閉ができるとともに、流路開閉弁の開閉に応じて送風部分の運転停止を制御できる。
【０１３０】
また、複数設けられる空気質変換装置と、端末装置に設けられる風量設定手段に接続される空気質設定手段と、前記風量設定手段および空気質設定手段からの信号により前記複数の空気質変換装置の運転を制御する制御装置とを備えたので、端末の空気質変換量が足りない場合には空気質変換装置の運転台数を複数台運転することで対応することができる。
【０１３１】
また、送風装置を空気圧縮手段および圧縮空気を蓄圧するボンベにより構成したので、夜間電力を使用して、ボンベに空気を貯えることができ、電気代を節約することができる。
【０１３２】
また、下方に向け空気を噴出する噴出口を有し、衣類等を掛けるハンガーが脱着可能なパイプを複数設けた噴出手段を収納できる形状で天井等に設けられる収納ケースと、この収納ケースに前記噴出手段を昇降自在に吊り下げる吊下手段とを備え、端末装置となる衣類乾燥装置を構成したので、従来例のようにケースが不要となり邪魔になることがなくなるとともに、天井への収納が可能で、噴出手段は下降位置でも使用が可能となる。
【０１３３】
また、噴出手段を下方に向けて噴出可能に収納し、天井等に設けられる収納ケースと、この収納ケースに吊下手段を介して昇降自在に吊り下げられる衣類を掛ける掛具とを備え、端末装置となる衣類乾燥装置を構成したので、掛具が昇降されることとなり、昇降が容易になるとともに、市販品を掛具として使用することができる。
【０１３４】
また、噴出手段に供給される空気の一部を利用して可動する可動手段と、この可動手段により昇降する吊下手段とを備え、端末装置となる衣類乾燥装置を構成したので、余分な空気を利用して昇降させることができ省エネ効果をもたらすとともに、施工が容易となる。
【図面の簡単な説明】
【図１】本発明の実施の形態１の空気供給装置の構成を示す概略断面図
【図２】本発明の実施の形態２の空気供給装置の構成を示す概略断面図
【図３】本発明の実施の形態３の空気供給装置の構成を示す概略断面図
【図４】本発明の実施の形態４の空気供給装置の構成を示す概略断面図
【図５】本発明の実施の形態５の空気供給装置の構成を示す概略断面図
【図６】同空気供給装置の靴の乾燥時の状態を示す斜視図
【図７】同空気供給装置の靴の乾燥時の状態を示す断面図
【図８】本発明の実施の形態６の空気供給装置の構成を示す概略断面図
【図９】本発明の実施の形態７の空気供給装置の構成を示す概略断面図
【図１０】同空気供給装置の衣類乾燥器の構成を示す斜視図
【図１１】同空気供給装置の噴出手段の構成を示す断面図
【図１２】本発明の実施の形態８の空気供給装置の構成を示す概略断面図
【図１３】本発明の実施の形態９の空気供給装置の構成を示す概略断面図
【図１４】本発明の実施の形態１０の空気供給装置の構成を示す概略断面図
【図１５】本発明の実施の形態１１の空気供給装置の構成を示す概略断面図
【図１６】本発明の実施の形態１２の空気供給装置の構成を示す概略断面図
【図１７】同空気供給装置の衣類殺菌乾燥器の構成を示す斜視図
【図１８】同空気供給装置の噴出手段の構成を示す断面図
【図１９】本発明の実施の形態１３の空気供給装置の構成を示す概略断面図
【図２０】本発明の実施の形態１４の空気供給装置の構成を示す概略断面図
【図２１】本発明の実施の形態１５の空気供給装置の構成を示す概略断面図
【図２２】本発明の実施の形態１６の空気供給装置の構成を示す概略断面図
【図２３】本発明の実施の形態１７の空気供給装置の構成を示す概略断面図
【図２４】同空気供給装置の制御を示すブロック図
【図２５】本発明の実施の形態１８の空気供給装置の構成を示す概略断面図
【図２６】同空気供給装置の制御を示すブロック図
【図２７】本発明の実施の形態１９の空気供給装置の構成を示す概略断面図
【図２８】同空気供給装置の制御を示すブロック図
【図２９】本発明の実施の形態２０の空気供給装置の構成を示す概略断面図
【図３０】同空気供給装置の制御を示すブロック図
【図３１】本発明の実施の形態２１の空気供給装置の構成を示す概略断面図
【図３２】同空気供給装置の制御を示すブロック図
【図３３】本発明の実施の形態２２の空気供給装置の構成を示す概略断面図
【図３４】本発明の実施の形態２３の衣類乾燥装置の構成を示す斜視図
【図３５】同衣類乾燥装置の噴出手段の断面図
【図３６】本発明の実施の形態２４の衣類乾燥装置の斜視図
【図３７】本発明の実施の形態２５の衣類乾燥装置の斜視図
【図３８】従来の空気供給装置の一例を示す加湿装置の断面図
【図３９】従来の他の空気供給装置の一例を示す衣類乾燥装置の斜視図
【符号の説明】
１      送風手段
２      除湿器
３      空気質変換手段
３Ａ    空気質変換手段
３Ｂ    空気質変換手段
３Ｃ    空気質変換手段
３Ｄ    空気質変換手段
４      室外側
５      空気質変換装置
５Ａ    空気質変換装置
５Ｂ    空気質変換装置
５Ｃ    空気質変換装置
５Ｄ    空気質変換装置
５Ｅ    空気質変換装置
５Ｆ    空気質変換装置
５Ｇ    空気質変換装置
６      送風装置
６Ａ    送風装置
６Ｂ    送風装置
６Ｃ    送風装置
７      室内側
８      送風配管
８Ａ    送風配管
９      ヘアドライヤー
１０    端末装置
１０Ａ  端末装置
１０Ｂ  端末装置
１０Ｃ  端末装置
１０Ｄ  端末装置
１０Ｅ  端末装置
１０Ｆ  端末装置
１０Ｇ  端末装置
１０Ｈ  端末装置
１０Ｊ  端末装置
１０Ｋ  端末装置
１０Ｌ  端末装置
１０Ｍ  端末装置
１０Ｎ  端末装置
１０Ｐ  端末装置
１０Ｒ  端末装置
１０Ｓ  端末装置
１０Ｔ  端末装置
１１    吸気配管
１２    押入
１３    押入乾燥器
１６    布団乾燥器
１８    靴乾燥器
２１    浴室乾燥器
２２    噴出口
２２Ａ  噴出口
２３    パイプ
２３Ａ  パイプ
２５    噴出手段
２５Ａ  噴出手段
２５Ｂ  噴出手段
２７    衣類乾燥器
２８    加湿器
２９    調湿器
３２    ワインセラー
３４    オゾン発生器
３５    オゾン吹出口
３６    生ごみ保管器
３８    衣類殺菌乾燥器
３９    布団殺菌乾燥器
４０    温度調節機器
４１    吹出装置
４３    エアーカーテン装置
４４    空気清浄器
４５    清浄空気吹出口
４６Ａ  端末装置
４６Ｂ  端末装置
４６Ｃ  端末装置
４６Ｄ  端末装置
４６Ｅ  端末装置
４６Ｆ  端末装置
４６Ｇ  端末装置
４６Ｈ  端末装置
４６Ｊ  端末装置
４６Ｋ  端末装置
４６Ｌ  端末装置
４７Ａ  風量設定手段
４７Ｂ  風量設定手段
４７Ｃ  風量設定手段
４７Ｄ  風量設定手段
４７Ｅ  風量設定手段
４９    制御装置
４９Ａ  制御装置
４９Ｂ  制御装置
４９Ｃ  制御装置
５０Ａ  送風機
５０Ｂ  送風機
５１Ａ  風量可変手段
５１Ｂ  風量可変手段
５２Ａ  流路開閉弁
５２Ｂ  流路開閉弁
５３Ａ  切替手段
５３Ｂ  切替手段
５４Ａ  空気質設定手段
５４Ｂ  空気質設定手段
５４Ｃ  空気質設定手段
５５    演算手段
５６    空気圧縮手段
５７    ボンベ
５８    収納ケース
５８Ａ  収納ケース
５９    吊下手段
５９Ａ  吊下手段
５９Ｂ  吊下手段
６０    衣類乾燥装置
６０Ａ  衣類乾燥装置
６０Ｂ  衣類乾燥装置
６１    掛具
６３    可動手段
【図１】
0003814473.tif 000002
【図２】
0003814473.tif 000003
【図３】
0003814473.tif 000004
【図４】
0003814473.tif 000005
【図５】
0003814473.tif 000006
【図６】
0003814473.tif 000007
【図７】
0003814473.tif 000008
【図８】
0003814473.tif 000009
【図９】
0003814473.tif 000010
【図１０】
0003814473.tif 000011
【図１１】
0003814473.tif 000012
【図１２】
0003814473.tif 000013
【図１３】
0003814473.tif 000014
【図１４】
0003814473.tif 000015
【図１５】
0003814473.tif 000016
【図１６】
0003814473.tif 000017
【図１７】
0003814473.tif 000018
【図１８】
0003814473.tif 000019
【図１９】
0003814473.tif 000020
【図２０】
0003814473.tif 000021
【図２１】
0003814473.tif 000022
【図２２】
0003814473.tif 000023
【図２３】
0003814473.tif 000024
【図２４】
0003814473.tif 000025
【図２５】
0003814473.tif 000026
【図２６】
0003814473.tif 000027
【図２７】
0003814473.tif 000028
【図２８】
0003814473.tif 000029
【図２９】
0003814473.tif 000030
【図３０】
0003814473.tif 000031
【図３１】
0003814473.tif 000032
【図３２】
0003814473.tif 000033
【図３３】
0003814473.tif 000034
【図３４】
0003814473.tif 000035
【図３５】
0003814473.tif 000036
【図３６】
0003814473.tif 000037
【図３７】
0003814473.tif 000038
【図３８】
0003814473.tif 000039
【図３９】
0003814473.tif 000040